(57)【要約】【課題】抗凝固剤によらず高精度な測定を行うことができる自動分析装置を提供すること。【解決手段】検体容器１１ａに収容された血液成分を含む検体をプローブ１２ａによって反応容器１３ａに分注し、反応容器１３ａ内で試薬と反応させて検体を分析する自動分析装置１において、検体容器１１ａが自動分析装置１の検体供給部１１に配置されてからの経過時間を計時する計時部３３と、血液の凝固を抑制する抗凝固剤の種類ごとに、経過時間と、抗凝固剤を混合した検体の液面からのプローブ１２ａの侵入深さとを対応させた侵入深さ情報を記憶する侵入深さ情報記憶部３４ａと、検体に混合された抗凝固剤の種類情報を取得するバーコード読取装置１９と、侵入深さ情報に基づいて、抗凝固剤の種類および経過時間に応じた吸引位置までプローブ１２ａの先端を下降させ、プローブ１２ａによって検体を吸引させる血球分注制御部３５ａとを備える。【選択図】図１
2011007697.tif 000002
【特許請求の範囲】
【請求項１】
検体容器に収容された血液成分を含む検体をプローブによって反応容器に分注し、該反応容器内で試薬と反応させて前記検体を分析する自動分析装置において、
前記検体容器が当該自動分析装置の所定位置に配置されてからの経過時間を計時する計時部と、
血液の凝固を抑制する抗凝固剤の種類ごとに、前記経過時間と、前記抗凝固剤を混合した前記検体の液面からの前記プローブの侵入深さとを対応させた侵入深さ情報を記憶する記憶部と、
前記検体に混合された前記抗凝固剤の種類情報を取得する取得部と、
前記侵入深さ情報に基づいて、前記抗凝固剤の種類および前記経過時間に応じた吸引位置まで前記プローブの先端を下降させ、前記プローブによって前記検体を吸引させる制御部と、
を備えること特徴とする自動分析装置。
【請求項２】
前記取得部は、前記検体の血球成分を用いる分析項目であるか否かを示す分析項目情報を取得し、
前記制御部は、
前記分析項目情報に基づいて、前記プローブに吸引させる検体の分析項目が、前記検体の血球成分を用いる分析項目であるか否かを判断する判断部と、
前記判断部が、前記プローブに吸引させる検体の分析項目が前記検体の血球成分を用いる分析項目であると判断した場合、前記侵入深さ情報を参照することによって、前記検体の液面に対して前記プローブの侵入深さ分だけ深い位置の前記吸引位置を算出する算出部と、
を有することを特徴とする請求項１に記載の自動分析装置。
【請求項３】
前記検体の液面を検出する検出部をさらに有することを特徴とする請求項２に記載の自動分析装置。
【発明の詳細な説明】
【技術分野】
【０００１】
本発明は、検体容器に収容された検体をプローブによって反応容器に分注し、反応容器内の検体を分析する自動分析装置に関する。
【背景技術】
【０００２】
従来、血液や体液等の検体を分析する自動分析装置は、検体が収容された検体容器から一定量の検体を反応容器に分注し、反応容器内で試薬と検体とを反応させて検体を分析している。このような自動分析装置において、血液に含まれるヘモグロビンＡ１ｃ（ＨｂＡ１ｃ）の測定を行う場合、検体容器内の血液から血球成分を分注する必要がある。この血球成分を含む検体は、検体容器に採取した後、放置しておくと血球成分が沈降し、血漿成分と血球成分とに分離してしまう。そこで、検体容器に収容された全血の液面からのプローブの侵入深さを変化させる自動分析装置が提案されている（特許文献１参照）。この自動分析装置は、予め取得した鉛直方向での血球成分の経時的な濃度変化情報をもとに、適切な深さにプローブを位置させて検体を分注するようにしている。
【先行技術文献】
【特許文献】
【０００３】
【特許文献１】特開２００７−３１６０１３号公報
【発明の概要】
【発明が解決しようとする課題】
【０００４】
ところで、検体容器に収容された抗凝固剤を含んだ全血では、混合する抗凝固剤の種類によって、ＨｂＡ１ｃの測定結果に差が生じることがある。しかしながら、特許文献１の自動分析装置は、抗凝固剤の種類に応じて異なる測定を行うものではない。従って、高精度な測定を行うことできない場合があるという問題があった。
【０００５】
本発明は、上記に鑑みてなされたものであって、抗凝固剤によらず高精度な測定を行うことができる自動分析装置を提供することを目的とする。
【課題を解決するための手段】
【０００６】
上述した課題を解決し、目的を達成するために、本発明の自動分析装置は、検体容器に収容された血液成分を含む検体をプローブによって反応容器に分注し、該反応容器内で試薬と反応させて前記検体を分析する自動分析装置において、前記検体容器が当該自動分析装置の所定位置に配置されてからの経過時間を計時する計時部と、血液の凝固を抑制する抗凝固剤の種類ごとに、前記経過時間と、前記抗凝固剤を混合した前記検体の液面からの前記プローブの侵入深さとを対応させた侵入深さ情報を記憶する記憶部と、前記検体に混合された前記抗凝固剤の種類情報を取得する取得部と、前記侵入深さ情報に基づいて、前記抗凝固剤の種類および前記経過時間に応じた吸引位置まで前記プローブの先端を下降させ、前記プローブによって前記検体を吸引させる制御部と、を備えること特徴とする。
【０００７】
また、本発明にかかる自動分析装置は、上記の発明において、前記取得部は、前記検体の血球成分を用いる分析項目であるか否かを示す分析項目情報を取得し、前記制御部は、
前記分析項目情報に基づいて、前記プローブに吸引させる検体の分析項目が、前記検体の血球成分を用いる分析項目であるか否かを判断する判断部と、前記判断部が、前記プローブに吸引させる検体の分析項目が前記検体の血球成分を用いる分析項目であると判断した場合、前記侵入深さ情報を参照することによって、前記検体の液面に対して前記プローブの侵入深さ分だけ深い位置の前記吸引位置を算出する算出部と、を有することを特徴とする。
【０００８】
また、本発明にかかる自動分析装置は、上記の発明において、前記検体の液面を検出する検出部をさらに有することを特徴とする。
【発明の効果】
【０００９】
本発明にかかる自動分析装置は、計時部が、検体容器が当該自動分析装置の所定位置に配置されてからの経過時間を計時し、記憶部が、血液の凝固を抑制する抗凝固剤の種類ごとに、前記経過時間と、前記抗凝固剤を混合した前記検体の液面からの前記プローブの侵入深さとを対応させた侵入深さ情報を記憶し、取得部が、前記検体に混合された前記抗凝固剤の種類情報を取得し、制御部が、前記侵入深さ情報基づいて、前記抗凝固剤の種類および前記経過時間に応じた吸引位置まで前記プローブの先端を下降させ、前記プローブによって前記検体を吸引させるので、前記抗凝固剤の種類によって変化する血球成分の沈降速度に応じた吸引位置で血球成分を吸引させることができる。従って、抗凝固剤によらず高精度な測定を行うことができる。
【図面の簡単な説明】
【００１０】
【図１】図１は、本発明の実施の形態に係る自動分析装置の構成を模式的に示す図である。
【図２】図２は、抗凝固剤としてＮａＦを用いた場合について、転倒混和してからの時間の経過に伴って血球成分の濃度が鉛直方向で変化することを示すグラフである。
【図３】図３は、抗凝固剤としてＥＤＴＡ−２Ｋを用いた場合について、転倒混和してからの時間の経過に伴って血球成分の濃度が鉛直方向で変化することを示すグラフである。
【図４】図４は、図１に示した自動分析装置が行う検体分注処理の手順を示したフローチャートである。
【発明を実施するための形態】
【００１１】
以下、図面を参照して、この発明にかかる自動分析装置の好適な実施の形態を詳細に説明する。なお、この実施の形態によってこの発明が限定されるものではない。
【００１２】
（実施の形態）
図１は、本発明の実施の形態に係る自動分析装置の構成を模式的に示す図である。自動分析装置１は、分析対象である検体と試薬との反応を光学的に測定する測定部１０と、測定部１０を含む自動分析装置１全体の制御および測定部１０における測定結果の分析を行う制御装置３０とを有する。自動分析装置１は、測定部１０および制御装置３０を連携させることによって複数の検体の生化学的、免疫学的あるいは遺伝学的な分析を自動的に行う。
【００１３】
測定部１０は、検体供給部１１、検体分注部１２、反応テーブル１３、測光部１４、洗浄部１５、攪拌部１６、試薬分注部１７および試薬テーブル１８を有する。
【００１４】
検体供給部１１は、検体容器１１ａが保持された複数のラック１１ｂを収納して検体分注位置に順次移送する。検体供給部１１の側部には、バーコード読取装置１９が設けられる。また、検体容器１１ａには、検体情報が記録されたバーコードラベル１１ｃが付与され、ラック１１ｂには、ラック情報が記録されたバーコードラベル１１ｄが付与されている。バーコード読取装置１９は、検体容器１１ａがラック１１ｂに保持されて搬送される際に、バーコードラベル１１ｃ，１１ｄの情報を読み取り、読み取った検体情報およびラック情報を制御部３５に出力する。
【００１５】
なお、バーコードラベル１１ｃに記録された情報は、検体の血球成分を用いる分析項目であるか否かを示す分析項目情報および検体に混合された抗凝固剤の種類情報を含む。すなわち、バーコード読取装置１９は、取得部として分析項目情報および検体に混合された抗凝固剤の種類情報を取得する。なお、分析項目情報および抗凝固剤の種類情報は、後述する入力部３１によって入力するようにしてもよい。
【００１６】
検体分注部１２は、検体の吸引および吐出を行うプローブ１２ａ、プローブ１２ａが先端部に取り付けられたアーム１２ｂ、プローブ１２ａを洗浄するプローブ洗浄部１２ｃ、および液面検出センサ１２ｄを有する。アーム１２ｂは、図示しない駆動機構によって鉛直方向への昇降および自身の基端部を通過する鉛直線を中心軸とする回転を自在に行う。
【００１７】
液面検出センサ１２ｄは、光センサによって実現され、検体分注位置に移送された検体容器１１ａの側方となる位置に設けられる。液面検出センサ１２ｄは、液面の検出部として検体容器１１ａ内の検体の液面を検出し、検出した液面の位置情報を制御部３５に出力する。なお、液面検出センサ１２ｄは、検体容器１１ａ内の検体の液面を検出できれば、例えば、静電容量の変化によって液面を検出する接触式センサをプローブ１２ａの先端部に設け、この接触式センサによって液面を検出するようにしてもよい。
【００１８】
検体分注部１２は、検体供給部１１の検体分注位置に移送された検体容器１１ａ内からプローブ１２ａによって検体を吸引し、アーム１２ｂを図中反時計回りに旋回させ、反応テーブル１３上の検体吐き出し位置に搬送された反応容器１３ａに、検体を吐き出して分注を行う。
【００１９】
反応テーブル１３は、図示しない保温部材と、ホイール１３ｂとを有する。ホイール１３ｂは、複数の反応容器１３ａを保持し、図示しない駆動機構によって回転して反応容器１３ａを周方向に移送する。
【００２０】
測光部１４は、所定の測定位置に移送された反応容器１３ａに測定光を照射し、反応容器１３ａ内の検体と試薬との反応液を透過した光を分光し、各波長光の強度測定を行うことによって、分析対象である検体と試薬との反応液に特有の波長の吸光度を測定する。
【００２１】
洗浄部１５は、図示しないノズルによって、測光部１４による測定が終了した反応容器１３ａ内の混合液を吸引して排出するとともに、洗剤や洗浄水等の洗浄液を注入および吸引することで洗浄を行う。攪拌部１６は、反応容器１３ａに分注された試薬と検体との混合液の攪拌を行い、反応を促進させる。
【００２２】
試薬分注部１７は、試薬の吸引および吐出を行うプローブ１７ａ、プローブ１７ａが先端部に取り付けられたアーム１７ｂおよびプローブ１７ａを洗浄するプローブ洗浄部１７ｃを有する。アーム１７ｂは、鉛直方向への昇降および自身の基端部を通過する鉛直線を中心軸とする回転を自在に行う。試薬分注部１７は、試薬テーブル１８上の所定位置に移送された試薬容器１８ｂ内の試薬をプローブ１７ａによって吸引し、アーム１７ｂを図中反時計回りに旋回させ、反応テーブル１３上の所定位置に搬送された反応容器１３ａに、試薬を吐き出して分注を行う。
【００２３】
試薬テーブル１８は、ホイール１８ａを有する。ホイール１８ａは、複数の試薬容器１８ｂを保持し、図示しない駆動機構によって回転して試薬容器１８ｂを周方向に移送する。
【００２４】
制御装置３０は、入力部３１、出力部３２、計時部３３、記憶部３４および制御部３５を有する。測定部１０および制御装置３０内の上述した各部は、制御部３５に接続される。制御部３５は、ＣＰＵ等によって実現され、自動分析装置１の各部の処理および動作を制御する。制御部３５は、これらの各構成部位に入出力される情報について所定の入出力制御を行い、かつ、この情報に対して所定の情報処理を行う。また、制御部３５は、測光部１４によって測定された測定結果をもとに、検体内における検出対象物の濃度を求め、検体の成分分析等を行う。
【００２５】
入力部３１は、キーボート、マウスあるいはハンディータイプのバーコードリーダー等によって実現され、検体の分析に関する各種情報の入力を受ける。出力部３２は、ディスプレイ、プリンタおよびスピーカー等によって実現され、検体の分析に関する各種情報等を出力する。
【００２６】
計時部３３は、時間を計時するタイマー機能を備えて実現される。計時部３３は、検体を収容した検体容器１１ａが自動分析装置１の検体供給部１１に配置されてからの経過時間を計時する。具体的には、操作者が検体容器１１ａ内の検体を転倒混和し、ラック１１ｂを検体供給部１１に配置する際に、入力部３１の図示しないハンディータイプのバーコードリーダー等によって、バーコードラベル１１ｄのラック情報を読み取る。計時部３３は、入力部３１によるバーコードラベル１１ｄの記録情報の読み取り処理をトリガとして計時を開始する。計時部３３は、プローブ１２ａが検体の吸引のために検体分注位置の検体容器１１ａ上方に移動した際に、計時を停止する。すなわち、計時部３３によって計時される時間は、検体容器１１ａ内の検体を転倒混和してから検体が分注されるまでの経過時間である。計時部３３は、この経過時間の情報を制御部３５に出力する。
【００２７】
また、計時部３３は、バーコードラベル１１ｄのラック情報と計時開始時刻とを関連づけて記憶部３４に記憶させ、プローブ１２ｂが検体の吸引のために検体分注位置の検体容器１１ａ上方に移動した時刻との差から経過時間を算出してもよい。この場合、複数のラック１１ｂについて検体供給部１１に配置されてからの経過時間を計時することができる。なお、計時部３３は、検体を収容した検体容器１１ａが自動分析装置１の所定位置に配置されてからの経過時間を計時できればよい。すなわち、検体容器１１ａ内の検体を転倒混和してからの経過時間を計時できればよい。
【００２８】
記憶部３４は、情報を磁気的に記憶するハードディスク等によって実現され、検体の分析に関する各種情報を記憶する。記憶部３４は、侵入深さ情報記憶部３４ａを有する。侵入深さ情報記憶部３４ａは、抗凝固剤の種類ごとに転倒混和後の経過時間と、検体の液面からのプローブ１２ａの侵入深さとを対応させた侵入深さ情報を記憶する。
【００２９】
ここで、図２および図３を参照し、転倒混和後の経過時間とプローブ１２ａの侵入深さとの関係を説明する。図２は、抗凝固剤としてＮａＦを用いた場合について、転倒混和してからの時間の経過に伴って血球成分の濃度が鉛直方向で変化することを示すグラフである。図３は、抗凝固剤としてＥＤＴＡ−２Ｋを用いた場合について、転倒混和してからの時間の経過に伴って血球成分の濃度が鉛直方向で変化することを示すグラフである。図２および図３において、横軸は転倒混和してからの経過時間ｔを表し、縦軸は、液面からの深さｈを表している。この深さｈは、検体容器１１ａの底面から液面までの高さに対する液面からの深さの割合である。従って、図２および図３において、縦軸は、液面位置の深さｈを０とし、検体容器１１ａの底面位置の深さhを１として表す。
【００３０】
図２および図３に示すように、転倒混和してからの時間の経過に伴い血球成分が沈降するため、血球成分は、適正な濃度Ｒ１より薄い濃度Ｒ０の領域が経時的に上層から下層に向かって拡大し、適正な濃度Ｒ１よりも濃い濃度Ｒ２の領域は、下層から上層に拡大する。
【００３１】
抗凝固剤としてＮａＦを用いた場合、図２に示すように、転倒混和してから経過時間ｔ３で検体がほぼ血漿成分層と血球成分層とに分離する。この分離が発生するまでの間、例えば、経過時間ｔ１では、ｈ１＜h＜ｈ４の深さhの範囲にプローブ１２ａの先端を位置させることによって適正な濃度Ｒ１の血球成分を吸引することができる。
【００３２】
抗凝固剤としてＥＤＴＡ−２Ｋを用いた場合、図３に示すように、転倒混和してからｔ２で検体がほぼ血漿成分層と血球成分層とに分離する。この場合、経過時間ｔ１では、ｈ２＜h＜ｈ３の深さhの範囲にプローブ１２ａの先端を位置させることによって適正な濃度Ｒ１の血球成分を吸引することができる。すなわち、抗凝固剤の種類によって血球成分の沈降速度が異なる。このため、侵入深さ情報は、抗凝固剤の種類によって転倒混和後の経過時間に応じた検体の液面からのプローブ１２ａの侵入深さを対応させる。
【００３３】
具体的には、経過時間ｔ１では、抗凝固剤としてＮａＦを用いた場合、深さｈ１近傍に侵入深さを設定し、抗凝固剤としてＥＤＴＡ−２Ｋを用いた場合、深さｈ２近傍に侵入深さを設定する。すなわち、プローブ１２ａの侵入深さを抗凝固剤の種類に応じて浅い位置に設定する。このため、抗凝固剤としてＮａＦを用いた場合、抗凝固剤としてＥＤＴＡ−２Ｋを用いた場合に比して、同一の経過時間においてより浅い位置で適正な濃度の血球成分を分注することができる。
【００３４】
制御部３５は、制御装置３０内の各種機能の制御を含めて自動分析装置１の制御を行う。制御部３５は、血球分注制御部３５ａを有する。
【００３５】
血球分注制御部３５ａは、侵入深さ情報記憶部３４ａ内の侵入深さ情報に基づいて、抗凝固剤の種類および計時部３３が計時した経過時間に応じた吸引位置までプローブ１２ａの先端を下降させ、プローブ１２ａによって検体を吸引させる。血球分注制御部３５ａは、判断部３５ｂおよび算出部３５ｃを有する。
【００３６】
判断部３５ｂは、バーコード読取装置１９が取得した検体容器１１ａ内の検体が血球成分の分析項目を含むか否かの分析項目情報に基づいて、プローブ１２ａに吸引させる検体の分析項目が、検体の血球成分を用いる分析項目か否かを判断する。ここで、プローブ１２ａに吸引させる検体とは、検体分注位置に搬送される検体である。
【００３７】
算出部３５ｃは、判断部３５ｂがプローブ１２ａに吸引させる検体の分析項目が検体の血球成分を用いる分析項目であると判断した場合、侵入深さ情報記憶部３４ａ内の侵入深さ情報を参照することによって、液面検出センサ１２ｄによって検出された検体の液面に対してプローブ１２ａの侵入深さ分だけ深い位置の吸引位置を算出する。
【００３８】
自動分析装置１では、順次搬送される複数の反応容器１３ａに対して、試薬分注部１７が、試薬容器１８ｂから反応容器１３ａに試薬を分注し、検体分注部１２が、検体容器１１ａから反応容器１３ａに所定量の検体を分注する。続いて、攪拌部１６が、反応容器１３ａ内の試薬と検体とを撹拌して反応させた後、測光部１４が、試薬と検体との混合液の吸光度測定を行う。そして、制御部３５が、測定結果を分析し、検体の成分分析等を自動的に行う。また、洗浄部１５が、測光部１４による測定が終了した反応容器１３ａの洗浄・乾燥を行い、一連の分析動作が連続して繰り返し行われる。
【００３９】
ここで、図４を参照して自動分析装置１が行う検体分注処理の手順を説明する。図４は、自動分析装置１が行う検体分注処理の手順を示したフローチャートである。まず、計時部３３が、計時を開始する（ステップＳ１０１）。計時部３３による計時の開始は、制御部３５が入力部３１からの計時開始を指示する旨の信号を受信した場合に行われる。その後、血球分注制御部３５ａは、分注対象の検体情報を取得する（ステップＳ１０２）。この検体情報は、検体の血球成分を用いる分析項目であるか否かの情報、および血球成分を含む検体に混合された抗凝固剤の種類情報を含むものであり、バーコード読取装置１９によって取得される。
【００４０】
その後、判断部３５ｂは、検体供給部１１に搬送された検体の分析項目が検体の血球成分を用いる分析項目であるか否かを判断する（ステップＳ１０３）。この判断は、ステップＳ１０２において取得した検体情報に基づいて行われる。検体の血球成分を用いる分析項目である場合（ステップＳ１０３，Ｙｅｓ）、血球分注制御部３５ａは、検体分注位置に搬送された検体容器１１ａの上方にプローブ１２ａを移動させる（ステップＳ１０４）。
【００４１】
その後、計時部３３は、計時を停止し（ステップＳ１０５）、血球分注制御部３５ａは、計時された時間が所定時間内であるか否かを判断する（ステップＳ１０６）。この判断に用いる所定時間は、転倒混和してからの血漿成分層と、血球成分層とが分離するまでの経過時間であり、例えば、抗凝固剤としてＮａＦを用いた場合、図２に示した経過時間ｔ３である。計時された時間が所定時間内である場合（ステップＳ１０６，Ｙｅｓ）、血球分注制御部３５ａは、プローブ１２ａを下降させ、液面検出センサ１２ｄによって検体の液面を検出する（ステップＳ１０７）。一方、計時された時間が所定時間内でない場合（ステップＳ１０６，Ｎｏ）、血球分注制御部３５ａは、検体分注処理を停止させる処理を行い（ステップＳ１１３）、この処理を終了させる。これにより、転倒混和してから長く時間が経過して濃度が高くなりすぎた血球成分を吸引することがなくなる。
【００４２】
ステップＳ１０７で検体の液面を検出すると、算出部３５ｃは、吸引位置を算出する（ステップＳ１０８）。具体的には、算出部３５ｃは、侵入深さ情報記憶部３４ａ内の侵入深さ情報を参照することによって、ステップ１０２で取得された抗凝固剤の種類およびステップＳ１０１〜Ｓ１０５までの経過時間に応じた吸引位置を算出する。
【００４３】
その後、血球分注制御部３５ａは、ステップＳ１０８で算出した吸引位置までプローブ１２ａの先端を下降させ（ステップＳ１０９）、プローブ１２ａによって検体を吸引させる（ステップＳ１１０）。これにより、抗凝固剤の種類ごとに転倒混和後の経過時間に応じた侵入深さの吸引位置、すなわち血球成分の沈降状態に応じた侵入深さの吸引位置でプローブ１２ａによって検体を吸引させることができる。その後、血球分注制御部３５ａは、検体の分注先である反応容器１３ａが配置された位置にプローブ１２ａを移動し（ステップＳ１１１）、プローブ１２ａ内に吸い込んだ検体を反応容器１３ａに吐出する（ステップＳ１１２）。その後、制御部３５は、この処理を終了する。
【００４４】
ステップＳ１０３において、判断部３５ｂが、検体の血球成分を用いる分析項目でないと判断した場合（ステップＳ１０３，Ｎｏ）、制御部３５は、血球成分を用いない分析項目での検体の分注処理を行い（ステップＳ１１４）、この処理を終了する。血球成分を用いない分析項目での検体の分注処理は、例えば、検体の液面から予め設定された侵入深さの吸引位置でプローブ１２ａによって検体を吸引し、吸引した検体を反応容器１３ａに吐出して分注する処理である。
【００４５】
この実施の形態では、検体容器１１ａが自動分析装置１の検体供給部１１に配置されてからの経過時間、すなわち検体容器１１ａ内の検体を転倒混和してからの経過時間を計時し、検体が血球成分を用いる分析項目である場合、検体に混合された抗凝固剤の種類および経過時間に応じた吸引位置までプローブ１２ａの先端を下降させ、プローブ１２ａによって検体を吸引させるので、抗凝固剤の種類によって変化する血球成分の沈降速度に応じた吸引位置で血球成分を吸引させることができる。従って、抗凝固剤によらず高精度な測定を行うことができる。
【００４６】
また、この実施の形態では、プローブ１２ａの侵入深さを抗凝固剤の種類に応じて浅い位置に設定するので、抗凝固剤の種類によらず一律にプローブ１２ａの侵入深さを設定する場合に比して、プローブ１２ａに付着する検体の量を低減することができる。
【００４７】
また、この実施の形態では、液面検出センサ１２ｄによって検体容器１１ａ内の検体の液面を検出するものを例示したが、これに限らず、検体容器１１ａ内の検体の液面位置の情報を取得できればよい。例えば、検体容器１１ａに収容される検体の量が固定され、かつ検体容器１１ａの種類が固定されることによって、液面位置は固定されるため、この固定された液面位置の情報を予め記憶部３４に記憶させてもよい。また、検体容器１１ａに収容される検体の量が固定され、かつ検体容器１１ａの種類が限定されることによって、液面位置が検体容器１１ａの種類ごとに限定されるため、この限定された液面位置の情報を予め記憶部３４に記憶させてもよい。この場合、バーコード読取装置１９を介して検体容器１１ａの種類を識別する情報を取得するようにする。
【産業上の利用可能性】
【００４８】
以上のように、本発明にかかる自動分析装置は、血球成分を含んだ検体を分注し、分析するのに有用である。
【符号の説明】
【００４９】
１    自動分析装置
１０  測定部
１１  検体供給部
１１ａ  検体容器
１１ｂ  ラック
１１ｃ，１１ｄ  バーコードラベル
１２  検体分注部
１２ａ，１７ａ  プローブ
１２ｂ，１７ｂ  アーム
１２ｃ，１７ｃ  プローブ洗浄部
１２ｄ  液面検出センサ
１３  反応テーブル
１３ａ  反応容器
１３ｂ，１８ａ  ホイール
１４  測光部
１５  洗浄部
１６  攪拌部
１７  試薬分注部
１８  試薬テーブル
１８ｂ  試薬容器
３０  制御装置
３１  入力部
３２  出力部
３３  計時部
３４  記憶部
３４ａ  侵入深さ情報記憶部
３５    制御部
３５ａ  血球分注制御部
３５ｂ  判断部
３５ｃ  算出部
【図１】
2011007697.tif 000003
【図２】
2011007697.tif 000004
【図３】
2011007697.tif 000005
【図４】
2011007697.tif 000006